(57)【要約】【課題】版胴の外周面の一部に設けた孔版原紙クランプ部に孔版原紙の搬送方向の先端部を確実にクランプさせる。【解決手段】孔版原紙クランプ部２０は、版胴１１の外周面１１ａの一部に版胴１１の軸方向に沿って固定設置した版取付台座２１と、版取付台座２１上で版胴１１の軸方向の中心部を中心にして所定の長さを持って版胴１１の両側面側に向って取り付けられた電磁石２２と、電磁石２２をオン／オフ動作させる電磁石駆動手段と、版取付台座２１上で電磁石２２の両側に取り付けられた一対の永久磁石２３，２３と、版取付台座２１上に電磁石２２及び一対の永久磁石２３，２３と対向して開閉可能に磁性金属材を用いて設置されたクランプ板（３０）と、版胴１１の回転位置に応じてクランプ板（３０）を開閉させるクランプ板開閉手段と、を備えたことを特徴とする孔版印刷装置１０を提供する。【選択図】図３
2013035238.tif 000002
【特許請求の範囲】
【請求項１】
回転自在な円筒状の版胴の外周面の一部に設けた孔版原紙クランプ部により孔版原紙の搬送方向の先端部をクランプして、前記孔版原紙を前記版胴の外周面に巻回させるように構成した孔版印刷装置において、
前記孔版原紙クランプ部は、
前記版胴の外周面の一部に該版胴の軸方向に沿って固定設置した版取付台座と、
前記版取付台座上で前記版胴の軸方向の中心部を中心にして所定の長さを持って該版胴の両側面側に向って取り付けられた電磁石と、
前記電磁石をオン／オフ動作させる電磁石駆動手段と、
前記版取付台座上で前記電磁石の両側に取り付けられた一対の永久磁石と、
前記版取付台座上に前記電磁石及び前記一対の永久磁石と対向して開閉可能に磁性金属材を用いて設置されたクランプ板と、
前記版胴の回転位置に応じて前記クランプ板を開閉させるクランプ板開閉手段と、
を備え、
前記孔版原紙の搬送方向の先端部を前記電磁石及び前記一対の永久磁石と前記クランプ板との間でクランプさせることを特徴とする孔版印刷装置。
【請求項２】
前記クランプ板開閉手段により前記クランプ板を閉じたときに、前記孔版原紙の先端部のうちで幅方向の両端側を前記一対の永久磁石と前記クランプ板でクランプした後に前記電磁石駆動手段を介して前記電磁石をオン動作させて前記孔版原紙の先端部のうちで幅方向の略中央部位近傍をクランプし、且つ、印刷用紙への印刷時に前記電磁石のオン動作を継続させると共に、前記孔版原紙を排版するときに前記電磁石をオフ動作させることを特徴とする請求項１に記載の孔版印刷装置。
【請求項３】
前記電磁石は、
前記一対の永久磁石の上面の高さと略同一高さの上面を有し、且つ、下面が前記版取付台座上に取り付けられる鉄板と、
前記鉄板の下面に一端部が固着され、且つ、他端部が前記版取付台座に埋め込まれた一つ以上の鉄心と、
前記一つ以上の鉄心に巻回されたコイルと、
を有することを特徴とする請求項１又は請求項２に記載の孔版印刷装置。
【請求項４】
前記電磁石駆動手段は、
前記版胴の一方の側面にリング状に設けられ、前記コイルの一端部が接続された＋電極用の電極レールと、
前記版胴の一方の側面にリング状に設けられ、前記コイルの他端部が接続された−電極用の電極レールと、
前記＋電極用の電極レール及び前記−電極用の電極レールに給電する給電手段と、
前記電磁石をオン／オフ制御する電磁石駆動回路と、
を有することを特徴とする請求項３に記載の孔版印刷装置。
【発明の詳細な説明】
【技術分野】
【０００１】
本発明は、版胴の外周面の一部に設けた孔版原紙クランプ部に孔版原紙の搬送方向の先端部を確実にクランプさせることができる孔版印刷装置に関する。
【背景技術】
【０００２】
一般的に、孔版印刷装置は、回転自在な円筒状の版胴の外周面の一部に設けた孔版原紙クランプ部に製版済みの孔版原紙の搬送方向の先端部をクランプさせて、この孔版原紙を版胴の外周面に沿って巻回させ、且つ、版胴内に供給したインクを孔版原紙に形成した穿孔画像部分を通過させて印刷用紙上にインク画像を印刷するものであり、１版分の孔版原紙により同一のインク画像を多数枚印刷することができるので多用されている。
【０００３】
この種の孔版印刷装置において、本出願人は、先に、版胴の外周面の一部に製版済みの孔版原紙の端部を係止する孔版原紙係止装置を提案している（例えば、特許文献１参照）。
【０００４】
特許文献１に開示された孔版原紙係止装置は、ここでの図示を省略するが、回転自在な円筒状の版胴の外周面の一部に設けられている。
【０００５】
上記した孔版原紙係止装置は、版胴の外周面の一部に版胴の軸方向に沿って設けられた版取付台座と、版取付台座上で版胴の軸方向に沿って設けられた磁石板と、孔版原紙の端部を係止するために磁石板と対向して版取付台座上に回動可能に設けられたクランプ板と、孔版原紙の端部をクランプ板から引き出すために版取付台座上に回動可能に設けられた跳ね上げ部材とで構成されており、孔版原紙の端部を磁石板とクランプ板との間でクランプしている。
【先行技術文献】
【特許文献】
【０００６】
【特許文献１】特開２００１−２１９６３８号公報
【発明の概要】
【発明が解決しようとする課題】
【０００７】
ところで、特許文献１に開示された孔版原紙係止装置では、前述したように、孔版原紙の端部を磁石板とクランプ板との間でクランプさせることができる。
【０００８】
この際、一般的に使用されている孔版印刷装置において、円筒状の版胴は、用紙最大サイズとしてＡ３サイズ（４２０ｍｍ×２９７ｍｍ）の印刷用紙を印刷するためにＡ３サイズ用の孔版原紙が外周面に沿って巻回できるように版胴の直径がφ１８０ｍｍ程度に設定されているので、Ａ３サイズの印刷用紙の長手方向の長さ４２０ｍｍと対応してＡ３サイズ用の孔版原紙の長手方向が版胴の外周面に沿い、且つ、Ａ３サイズの印刷用紙の短手方向の長さ２９７ｍｍが版胴の軸方向に沿うので、Ａ３サイズ用の孔版原紙の短手方向である幅方向が版胴の軸方向と対応している。
【０００９】
尚、Ａ３サイズ以下で、Ｂ４サイズ（３６４ｍｍ×２５７ｍｍ），Ａ４サイズ（２９７ｍｍ×２１０ｍｍ），Ｂ５サイズ（２５７ｍｍ×１８２ｍｍ）など複数種の印刷用紙を印刷する場合でも、インクが版胴の外周面に付着しないように版胴の外周面にはＡ３サイズ以下の画像情報を製版したＡ３サイズ用の孔版原紙を巻回させている。
【００１０】
一方、最近、Ａ３サイズ（４２０ｍｍ×２９７ｍｍ）の印刷用紙よりも大型サイズで例えばＡ２サイズ（５９４ｍｍ×４２０ｍｍ）の印刷用紙を印刷できる孔版印刷装置の開発が要望されている。
【００１１】
この際、Ａ２サイズの印刷用紙への印刷を可能とする孔版印刷装置の開発にあたって、版胴の直径を大径化せずに版胴の円周方向の長さをＡ２サイズの印刷用紙の短手方向の長さ４２０ｍｍに対応させて版胴の直径を上記と同じ値であるφ１８０ｍｍ程度に設定した場合に、Ａ２サイズ用の孔版原紙の幅方向の長さはＡ２サイズの印刷用紙の長手方向の長さ５９４ｍｍと対応することになるので、版胴の軸方向の長さ及び磁石板の長さ並びにクランプ板の長さはＡ３サイズ用の孔版原紙の場合に対して２倍になってしまう。
【００１２】
これにより、Ａ２サイズの印刷用紙への印刷を可能とする孔版印刷装置を開発する場合に、特許文献１に開示された孔版原紙係止装置の技術的思想を適用して、Ａ２サイズ用の孔版原紙の端部を版胴の外周面の一部に設けた孔版原紙係止装置によりクランプするときに、磁石板の長さがＡ３サイズ用の場合よりも２倍長くなるために、クランプ板へのクランプ力が倍増してしまい、これ伴って、クランプ板を開閉するクランプ板開閉駆動機構内に設けたクランプ用モータの負荷が増大するので、クランプ用モータを大型化しなければならないという新たな問題点が生じてしまう。
【００１３】
更に、クランプ板の長さが長くなるので、クランプ板が撓みやすくなるという問題点も生じてしまう。
【００１４】
そこで、Ａ３サイズの印刷用紙よりも大型サイズで例えばＡ２サイズの印刷用紙を印刷可能とする孔版印刷装置の開発にあたって、版胴の直径を大径化せずに、版胴の外周面の一部に設けた孔版原紙クランプ部に孔版原紙の搬送方向の先端部を確実にクランプさせることができ、且つ、クランプ用モータの小型化やクランプ板の撓みを軽減できる孔版印刷装置を提供することを目的とする。
【課題を解決するための手段】
【００１５】
本発明は上記課題に鑑みてなされたものであり、請求項１に記載の発明は、回転自在な円筒状の版胴の外周面の一部に設けた孔版原紙クランプ部により孔版原紙の搬送方向の先端部をクランプして、前記孔版原紙を前記版胴の外周面に巻回させるように構成した孔版印刷装置において、
前記孔版原紙クランプ部は、
前記版胴の外周面の一部に該版胴の軸方向に沿って固定設置した版取付台座と、
前記版取付台座上で前記版胴の軸方向の中心部を中心にして所定の長さを持って該版胴の両側面側に向って取り付けられた電磁石と、
前記電磁石をオン／オフ動作させる電磁石駆動手段と、
前記版取付台座上で前記電磁石の両側に取り付けられた一対の永久磁石と、
前記版取付台座上に前記電磁石及び前記一対の永久磁石と対向して開閉可能に磁性金属材を用いて設置されたクランプ板と、
前記版胴の回転位置に応じて前記クランプ板を開閉させるクランプ板開閉手段と、
を備え、
前記孔版原紙の搬送方向の先端部を前記電磁石及び前記一対の永久磁石と前記クランプ板との間でクランプさせることを特徴とする孔版印刷装置である。
【００１６】
また、請求項２に記載の発明は、請求項１に記載の孔版印刷装置において、
前記クランプ板開閉手段により前記クランプ板を閉じたときに、前記孔版原紙の先端部のうちで幅方向の両端側を前記一対の永久磁石と前記クランプ板でクランプした後に前記電磁石駆動手段を介して前記電磁石をオン動作させて前記孔版原紙の先端部のうちで幅方向の略中央部位近傍をクランプし、且つ、印刷用紙への印刷時に前記電磁石のオン動作を継続させると共に、前記孔版原紙を排版するときに前記電磁石をオフ動作させることを特徴とする孔版印刷装置である。
【００１７】
また、請求項３に記載の発明は、請求項１又は請求項２に記載の孔版印刷装置において、
前記電磁石は、
前記一対の永久磁石の上面の高さと略同一高さの上面を有し、且つ、下面が前記版取付台座上に取り付けられる鉄板と、
前記鉄板の下面に一端部が固着され、且つ、他端部が前記版取付台座に埋め込まれた一つ以上の鉄心と、
前記一つ以上の鉄心に巻回されたコイルと、
を有することを特徴とする孔版印刷装置である。
【００１８】
更に、請求項４に記載の発明は、請求項３に記載の孔版印刷装置において、
前記電磁石駆動手段は、
前記版胴の一方の側面にリング状に設けられ、前記コイルの一端部が接続された＋電極用の電極レールと、
前記版胴の一方の側面にリング状に設けられ、前記コイルの他端部が接続された−電極用の電極レールと、
前記＋電極用の電極レール及び前記−電極用の電極レールに給電する給電手段と、
前記電磁石をオン／オフ制御する電磁石駆動回路と、
を有することを特徴とする孔版印刷装置である。
【発明の効果】
【００１９】
請求項１記載の孔版印刷装置によると、Ａ３サイズの印刷用紙よりも大型サイズで例えばＡ２サイズの印刷用紙を印刷可能とする孔版印刷装置を開発するに当たって、版胴の外周面の一部に版胴の軸方向に沿って長尺な版取付台座を固定設置した上で、この版取付台座上に版胴の軸方向の中心部を中心にして所定の長さを持った電磁石を配置すると共に、電磁石の両側に一対の永久磁石を配置することで、孔版原紙の搬送方向の先端部を電磁石及び一対の永久磁石とクランプ板との間で確実にクランプさせることができると共に、印刷用紙への印刷中に電磁石をオン動作させることにより、印刷中に孔版原紙の片寄りや、孔版原紙の抜けを防止することが可能となる。
【００２０】
また、請求項２記載の孔版印刷装置によると、クランプ板開閉手段によりクランプ板を閉じたときに、孔版原紙の先端部のうちで幅方向の両端側を一対の永久磁石とクランプ板でクランプした後に電磁石駆動手段を介して電磁石をオン動作させて孔版原紙の先端部のうちで幅方向の略中央部位近傍をクランプさせることにより、孔版原紙の先端部のうちで幅方向の両端側が先にクランプされ、その後、孔版原紙の先端部のうちで幅方向の略中央部位近傍がクランプされるために、版胴に対する孔版原紙の画像位置精度を確実に向上させることができる。
【００２１】
また、孔版原紙を排版するときに電磁石をオフ動作させることにより、クランプ板への磁力が軽減されるのでクランプ板開閉手段のクランプ用モータへのクランプ解除負荷を軽減できるためにクランプ用モータを小型化でき、更に、クランプ板の撓みも軽減できる。
【００２２】
また、請求項３記載の孔版印刷装置によると、版取付台座上に取り付けられる鉄板と、鉄板の下面に固着された一つ以上の鉄心と、一つ以上の鉄心に巻回したコイルとにより電磁石を薄型に構成できる。
【００２３】
更に、請求項４記載の孔版印刷装置によると、版胴の一方の側面に設けられた＋電極用の電極レール及び−電極用の電極レールと、両電極レールに給電する給電手段と、電磁石駆動回路とにより電磁石を確実にオン／オフ動作させることができる。
【図面の簡単な説明】
【００２４】
【図１】（ａ），（ｂ）は本発明に係る孔版印刷装置において、孔版原紙の着版状態を示した側面図，Ａ部拡大図である。
【図２】図１に示した孔版原紙クランプ部を示した平面図である。
【図３】図１に示した孔版原紙クランプ部の版取付台座に電磁石と一対の永久磁石とを取り付けた状態を示した斜視図である。
【図４】本発明に係る孔版印刷装置孔内に設けた制御部を説明するためのブロック図である。
【図５】（ａ），（ｂ）は本発明に係る孔版印刷装置において、印刷用紙への印刷状態を示した側面図，Ｂ部拡大図である。
【図６】本発明に係る孔版印刷装置において、孔版原紙の排版状態を示した側面図，Ｃ部拡大図である。
【図７】（ａ），（ｂ）は本発明に係る孔版印刷装置内に設けたクランプ板を一部変形させた変形例のクランプ板を説明するための上面図，Ｄ−Ｄ矢視拡大断面図である。
【発明を実施するための形態】
【００２５】
以下に本発明に係る孔版印刷装置の一実施例について、図１〜図７を参照して詳細に説明する。
【実施例】
【００２６】
図１（ａ）に示す如く、本発明に係る孔版印刷装置１０は、Ａ３サイズ（４２０ｍｍ×２９７ｍｍ）の印刷用紙よりも大型サイズで不図示の給紙部から搬送される例えばＡ２サイズ（５９４ｍｍ×４２０ｍｍ）の印刷用紙Ｐを印刷可能に構成されており、この孔版印刷装置１０の内部に円筒状の版胴１１が中心軸１２に連結されたエンコーダ付き版胴用モータ１３によって中心軸１２と一体に図示反時計方向に回転可能に設けられている。
【００２７】
この際、孔版印刷装置１０は製版済みの孔版原紙Ｇを版胴１１に着版する着版状態を示しているので、版胴１１は回転を停止している。
【００２８】
上記に伴って、版胴１１の直径φＤは、Ａ２サイズの印刷用紙Ｐの短手方向の長さ４２０ｍｍに対応させてφ１８０ｍｍ程度に設定されており、これに伴って、Ａ２サイズの印刷用紙Ｐの短手方向の長さ４２０ｍｍと対応してＡ２サイズ用の孔版原紙Ｇの短手方向が版胴１１の外周面１１ａに沿って巻回され、且つ、Ａ２サイズの印刷用紙Ｐの長手方向の長さ５９４ｍｍが版胴１１の軸方向に沿うので、Ａ２サイズ用の孔版原紙Ｇの長手方向である幅方向は版胴１１の軸方向と対応している。
【００２９】
一方、図２に示した如く、Ａ２サイズの印刷用紙Ｐと対応して製版されたＡ２サイズ用の孔版原紙Ｇの長手方向となる幅寸法Ｗは、Ａ２サイズの印刷用紙Ｐ（図１）の長手方向の長さ５９４ｍｍよりも長く設定されていると共に、版胴１１の軸方向の長さＬはＡ２サイズ用の孔版原紙Ｇの幅寸法Ｗよりも長く設定されている。
【００３０】
図１（ａ）に戻り、版胴１１の外周面１１ａ上の一部には、Ａ２サイズの印刷用紙Ｐと対応して製版されたＡ２サイズ用の孔版原紙Ｇの先端部Ｇａを幅方向に沿ってクランプするための孔版原紙クランプ部２０が設けられており、孔版原紙クランプ部２０によってクランプされた孔版原紙Ｇは版胴１１の外周面１１ａに沿って巻き付けられるようになっている。
【００３１】
この際、製版された孔版原紙Ｇは、熱可塑性樹脂フィルムなどを用いて版胴１１の右上方部位に設置された不図示の製版部内に設けたサーマルヘッドにより１版分の画像情報に応じて感熱穿孔された穿孔画像部分が製版画像として形成されているものである。
【００３２】
また、図１（ｂ），図２及び図３に示す如く、上記した孔版原紙クランプ部２０は、版胴１１の外周面１１ａの一部に版取付台座２１が非磁性材のアルミ材又は合成樹脂材などを用いて所定の高さで版胴１１の円周方向に沿って略台形状に形成され且つ版胴１１の軸方向に沿って版胴１１の軸方向の長さＬと略同じ長さで長尺に形成されている。
【００３３】
また、版取付台座２１の上面２１ａには、電磁石２２が版胴１１の版胴１１の軸方向の中心部を中心にして版胴１１の軸方向の長さＬに対して１／３以上の所定の長さを持って版胴１１の両側面１１ｂ，１１ｃ（図３のみ図示）側に向って略左右対称に取り付けられていると共に、電磁石２２の左右両端側に例えばゴム製の永久磁石２３，２３が版取付台座２１の左右両端に向って一対取り付けられている。
【００３４】
この際、図３に示すように、上記した電磁石２２は、平板状に形成された一対の永久磁石２３，２３の各上面の高さと略同一高さの上面を有し且つ下面が版取付台座２１の上面２１ａ上に取り付けられた鉄板２２ａと、この鉄板２２ａの下面に一端部が固着され且つ一端部と反対側の他端部が非磁性を有する版取付台座２１内に埋め込まれた一つ以上の鉄心２２ｂと、一つ以上の鉄心２２ｂに巻回したコイル２２ｃとからなり、この実施例では、間隔を離して設置した２個の鉄心２２ｂ，２２ｂにコイル２２ｃが直列に結線されて巻回しているので、電磁石２２を薄型に構成できる。
【００３５】
また、２個の鉄心２２ｂ，２２ｂに巻回したコイル２２ｃの一端部２２ｃ１及び他端部２２ｃ２（図３のみ図示）は版取付台座２１の下面２１ｂ側に形成した凹溝２１ｂ１を通って版胴１１の一方の側面１１ｂ側まで延出されて、コイル２２ｃの一端部２２ｃ１が版胴１１の一方の側面１１ｂにリング状に形成した＋電極用の電極レール２４に接続され、且つ、コイル２２ｃの他端部２２ｃ２が版胴１１の一方の側面１１ｂにリング状に形成した−電極用の電極レール２５に接続されている。
【００３６】
また、上記した電極レール２４，２５に、不図示のＤＣ電源とスイッチ回路などを備えた電磁石駆動回路４７（図４）を介して接続された一対の導電性ブラシ２６，２７が常時当接することで、コイル２２ｃへの給電手段を構成している。
【００３７】
従って、版胴１１の一方の側面１１ｂに形成した電極レール２４，２５と、電磁石駆動回路４７（図４）を介して接続された一対の導電性ブラシ２６，２７とで電磁石駆動手段を構成している。
【００３８】
また、図１（ｂ）及び図２に示す如く、版取付台座２１上には、孔版原紙Ｇの先端部Ｇａを幅方向に沿ってクランプするためのクランプ板３０が磁性金属材を折り曲げて形成した平坦なクランプ面３０ａを電磁石２２及び一対の永久磁石２３，２３と対向させて版胴１１の軸方向に沿って長尺に設けられており、このクランプ板３０は版取付台座２１の長手方向の両端部に固定された一対の支持軸部３１，３１に対して第１回転軸３２，３２を介して第１ネジリバネ３３，３３により閉じ方向に付勢されながら回動可能となっていると共に、クランプ板３０の長手方向の一方の端部に第１カムフォロワー３４が版胴１１の一方の側部から外側に向って突出した状態で取り付けられている。そして、電磁石２２及び一対の永久磁石２３，２３と、クランプ板３０のクランプ面３０ａとの間に孔版原紙Ｇの先端部Ｇａを挿入することで磁性力により孔版原紙Ｇの先端部Ｇａが版胴１１にクランプされようになっている。
【００３９】
また、版取付台座２１上には、使用済みの孔版原紙Ｇをクランプ板３０からクランプを解除して排版するときに、クランプを解除された使用済みの孔版原紙Ｇの先端部Ｇａを跳ね上げるための跳ね上げ部材３５が金属材を折り曲げて形成した跳ね上げ面３５ａをクランプ板３０と対向させて版胴１１の軸方向に沿って長尺に設けられており、この跳ね上げ部材３５は版取付台座２１上でクランプ板３０よりも版胴１１の回転方向の上流側に取り付けられていると共に、クランプ板３０によってクランプされた孔版原紙Ｇの裏面側に配置されている。
【００４０】
そして、跳ね上げ部材３５も版取付台座２１の長手方向の両端部に固定された一対の支持軸部３１，３１に対して第２回転軸３６，３６を介して第２ネジリバネ３７，３７により閉じ方向に付勢されながら回動可能となっていると共に、跳ね上げ部材３５の長手方向の一方の端部に第２カムフォロワー３８が版胴１１の一方の側部から外側に向って突出した状態で取り付けられている。
【００４１】
この際、版胴１１の軸方向の一方の側部側に設けた弓形状カム部材４５（図４）の一端部側と他端部側とが、第１，第２カムフォロワー３４，３８にそれぞれ独立して当接することで、クランプ板３０と跳ね上げ部材３５とがそれぞれ独立して回動可能になっている。
【００４２】
再び、図１（ａ）に戻り、版胴１１と一体に回転する中心軸１２の一端面側にはインク挿入口１２ａが形成されており、このインク挿入口１２ａから挿入されたインクＩＫは、版胴１１内に設けたインク溜り１４に溜められた後にインク溜り１４を挟んで設けたドクターローラ１５とインク塗布ローラ１６との間に形成された隙間から製版済みの孔版原紙Ｇ側に浸み出すようになっている。
【００４３】
また、版胴１１の外周面１１ａの下方には、プレスローラ１７が不図示の電磁ソレノイドなどの駆動力により版胴１１の外周面１１ａに対して接離自在に設けられており、このプレスローラ１７は版胴１１の外周面１１ａに設けた孔版原紙クランプ部２０が通過するときに版胴１１の外周面１１ａから離間するようになっていると共に、孔版原紙Ｇの着版時に離間している。
【００４４】
次に、図４に示した如く、孔版印刷装置１０内に設けた制御部４０は、この装置全体を制御するＣＰＵ４０ａと、孔版印刷装置１０の動作プログラムや予め固定された情報を格納するＲＯＭ４０ｂと、孔版印刷装置１０内で変更可能な情報などを一時的に格納するＲＡＭ４０ｃと、エンコーダ付き版胴用モータ１３のエンコーダから出力されるエンコーダパルスの数を計数するカウンタ４０ｄとを有している。
【００４５】
また、制御部４０は、版胴用モータ駆動回路４１を介してエンコーダ付き版胴用モータ１３の回転を制御していると共に、作業者が版胴１１を孔版印刷装置１０から取り外す位置となる版胴初期位置をエンコーダの近傍に設けた版胴初期位置センサ４２で検出している。
【００４６】
この際、エンコーダ付き版胴用モータ１３のエンコーダは、版胴１１の版胴初期位置を基準として所定の間隔でエンコーダパルスを順次出力しているので、版胴１１の回転に伴って発生するエンコーダパルスの数をカウンタ４０ｄで計数することにより、後述する着版位置，印刷開始位置，印刷完了位置，排版位置をそれぞれ検出している。
【００４７】
また、制御部４０は、版胴１１の回転に伴ってクランプ用モータ駆動回路４３を介してクランプ用モータ４４を作動させて、版胴１１の軸方向の一方の側部側に設けた弓形状カム部材４５を上下動させることで、クランプ板３０と跳ね上げ部材３５とをそれぞれ開閉しており、且つ、クランプ板３０の開閉状態をクランプ板３０の近傍に設置したクランプセンサ４６により検出しているので、クランプ用モータ駆動回路４３とクランプ用モータ４４と弓形状カム部材４５とクランプセンサ４６とでクランプ板開閉手段が構成されている。
【００４８】
また、制御部４０は、電磁石駆動回路４７を介して電磁石２２をオン／オフ制御しており、この電磁石２２は、孔版原紙Ｇの着版時にオフ動作され、一対の永久磁石２３，２３とクランプ板３０とで孔版原紙Ｇの先端部Ｇａのうちで幅方向の両端側をクランプした後にオン動作され、且つ、印刷用紙Ｐへの印刷中もオン動作を継続され、孔版原紙Ｇの排版時にオフ動作されている。
【００４９】
更に、制御部４０は、不図示の電磁ソレノイドなどを用いたプレスローラ駆動手段４８を介してプレスローラ１７を版胴１１の外周面１１ａに対して接離させている。
【００５０】
ここで、上記構成による孔版印刷装置１０の動作について説明する。
【００５１】
まず、図１（ａ），（ｂ）に示す如く、孔版印刷装置１０内で版胴１１が孔版原紙Ｇを着版する着版位置に至っているときには、版胴１１が回転を停止しており、版胴１１の版胴初期位置を基準としてエンコーダ付き版胴用モータ１３からのエンコーダパルスの数が着版位置と対応した所定数に達していて、この版胴１１の外周面１１ａの一部に設けた孔版原紙クランプ部２０が略真上に至っている。
【００５２】
この着版位置では、クランプ用モータ駆動回路４３（図４）を介してクランプ用モータ４４が作動されて、版胴１１の軸方向の一方の側部側に設けた弓形状カム部材４５（図４）の一端側がクランプ板３０の長手方向の一方の側部に取り付けた第１カムフォロワー３４を上方から下方に向って押し付けているので、クランプ板３０が第１ネジリバネ３３に抗して第１回転軸３２を中心に反時計方向に回動して開放状態とされるが、跳ね上げ部材３５の長手方向の一方の側部に取り付けた第２カムフォロワー３８には弓形状カム部材４５（図４）の他端側が当接していないので、跳ね上げ部材３５は第２ネジリバネ３７の付勢力により電磁石２２及び一対の永久磁石２３，２３側に閉じている。
【００５３】
そして、電磁石２２及び一対の永久磁石２３，２３と、クランプ板３０との間に、不図示の製版部から搬送された製版済みの孔版原紙Ｇの先端部Ｇａが挿入されるが、この着版位置では前述したように制御部４０は電磁石駆動回路４７を介して電磁石２２をオフ動作させているので非動作状態であるが、一対の永久磁石２３，２３の磁力は作用している。
【００５４】
次に、図５（ａ），（ｂ）に示した如く、着版位置から版胴用モータ駆動回路４１を介してエンコーダ付き版胴用モータ１３を作動させて版胴１１を反時計方向に回転させると、弓形状カム部材４５（図４）の一端側がクランプ板３０の長手方向の一方の側部に取り付けた第１カムフォロワー３４から離れるので、クランプ板３０は第１ネジリバネ３３の付勢力により第１回転軸３２を中心に時計方向に回動して閉じ方向に移動するので、孔版原紙Ｇの先端部Ｇａのうちで幅方向の両端側が一対の永久磁石２３，２３とクランプ板３０との間にクランプされ、このクランプ状態をクランプセンサ４６（図４）により確認した後に、電磁石２２をオン動作させる。これにより、孔版原紙Ｇの先端部Ｇａが電磁石２２及び一対の永久磁石２３，２３と、クランプ板３０との間で確実にクランプされる。
【００５５】
この際、孔版原紙Ｇの先端部Ｇａのうちで幅方向の両端側が一対の永久磁石２３，２３の磁力により先にクランプされ、その後、孔版原紙Ｇの先端部Ｇａのうちで幅方向の略中央部位近傍が電磁石２２の磁力により確実にクランプされるので、版胴１１に対する孔版原紙Ｇの画像位置精度を確実に向上させることができる。
【００５６】
この後、電磁石２２のオン動作を継続して、孔版原紙Ｇの先端部Ｇａを電磁石２２及び一対の永久磁石２３，２３とクランプ板３０とでクランプしたまま、版胴１１を反時計方向に更に回転させて、エンコーダ付き版胴用モータ１３からのエンコーダパルスの数が印刷位置に対応とすると、制御部４０は、プレスローラ駆動手段４８（図４）を介してプレスローラ１７を不図示の給紙ユニットから搬送された印刷用紙Ｐと、版胴１１の外周面１１ａに巻回した製版済みの孔版原紙Ｇとに押し当てて、印刷用紙Ｐを下流側に向って搬送しながら版胴１１内に供給されたインクＩＫを製版済みの孔版原紙Ｇを通して印刷用紙Ｐ上に孔版原紙Ｇの製版画像に応じたインク画像を印刷している。従って、印刷用紙Ｐへの印刷中に電磁石２２をオン動作させることにより、印刷中に孔版原紙Ｇの片寄りや、孔版原紙Ｇの抜けを防止することが可能となる。
【００５７】
そして、印刷用紙Ｐへの印刷を複数回繰り返して複数枚全て印刷が終了した段階で、版胴１１に巻き付けられた孔版原紙Ｇは使用済みとなるので、版胴１１と一体に孔版原紙クランプ部２０を図６（ａ），（ｂ）に示した孔版原紙Ｇの排版位置まで反時計方向に回転させている。
【００５８】
ここで、版胴１１の反時計方向への回転により版胴１１の外周面１１ａに設けた孔版原紙クランプ部２０が排版位置に至る寸前に電磁石２２をオフ動作させると共に、弓形状カム部材４５（図４）の一端側がクランプ板３０の長手方向の一方の側部に取り付けた第１カムフォロワー３４を上方から下方に向って押し付けるために、クランプ板３０が第１ネジリバネ３３に抗して第１回転軸３２を中心に反時計方向に回動して開放状態とされるので、電磁石２２及び一対の永久磁石２３，２３とクランプ板３０とで挟持されていた使用済みの孔版原紙Ｇの先端部Ｇａへのクランプが解除され、且つ、電磁石２２のオフ動作によりクランプ板３０への磁力が軽減されるのでクランプ用モータ４４（図４）へのクランプ解除負荷を軽減できるためにクランプ用モータ４４を小型化でき、更に、クランプ板３０の撓みも軽減できる。
【００５９】
この後、更に版胴１１を反時計方向に回転させると、弓形状カム部材４５（図４）の他端側が跳ね上げ部材３５の長手方向の一方の側部に取り付けた第２カムフォロワー３８を上方から下方に向って押し付けるために、跳ね上げ部材３５が第２ネジリバネ３７に抗して第２回転軸３６を中心に反時計方向に回動して開放状態とされるので、クランプを解除された使用済みの孔版原紙Ｇの先端部Ｇａが跳ね上げ部材３５の揺動端部にて持ち上げられて、不図示の排版部に搬送される。そして、エンコーダ付き版胴用モータ１３からのエンコーダパルスの数が排版位置に至ったときに、使用済みの孔版原紙Ｇに対して排版動作を確実に行うことができる。
【００６０】
次に、本発明に係る孔版印刷装置１０内に設けたクランプ板３０を一部変形させた変形例のクランプ板について図７を用いて簡略に説明する。
【００６１】
図７に示す如く、変形例のクランプ板３０’は、孔版原紙Ｇをクランプするクランプ面３０ａが平坦な面に形成されているものの、クランプ面３０ａと反対側の上面３０ｂは１本の第１リブ３０ｃ及び複数の第２リブ３０ｄにより一部凸状に突出形成されているので、クランプ板３０’の剛性力を高めて補強することができ、これによりクランプ板３０’のクランプ面３０ａの撓みを減少させることができるようになっている。
【００６２】
具体的に説明すると、クランプ板３０’の第１リブ３０ｃはクランプ面３０ａ及び上面３０ｂの長手方向に沿って細い幅で１本長尺に形成されており、一方、複数の第２リブ３０ｄは第１リブ３０ｃを挟んだ両側に所定の間隔を隔てて楕円状に形成されている。
【００６３】
この際、クランプ板３０’の第１，第２リブ３０ｃ，３０ｄは、共にクランプ面３０ａ側が凹状に凹んで形成され、且つ、上面３０ｂ側が凸状に突出形成されていることにより、平坦なクランプ面３０ａのクランプ面積が減少するために、電磁石２２及び一対の永久磁石２３，２３の各磁力の影響を軽減でき、孔版原紙Ｇへのクランプ解除時にクランプ用モータ４４の負荷を軽減できる。
【００６４】
尚、第１，第２リブ３０ｃ，３０ｄを形成して、クランプ板３０’のクランプ面３０ａのクランプ面積をＡ３サイズの場合と略同様に適宜設定することにより、電磁石２２を省き、クランプ面３０ａと対向して例えば長尺なゴム製の永久磁石（図示せず）だけで対応させることも可能であり、長尺なゴム製の永久磁石（図示せず）とクランプ板３０’との間で孔版原紙Ｇの先端部Ｇａをクランプする場合には大幅なコスト低減を図ることが可能になる。
【符号の説明】
【００６５】
１０…孔版印刷装置、
１１…版胴、１１ａ…外周面、１１ｂ，１１ｃ…側面、１２…中心軸、
１３…エンコーダ付き版胴用モータ、１４…インク溜り、１５…ドクターローラ、
１６…インク塗布ローラ、１７…プレスローラ、
２０…孔版原紙クランプ部、
２１…版取付台座、２２…電磁石、２２ａ…鉄板、２２ｂ…鉄心、２２ｃ…コイル、
２３，２３…一対の永久磁石、
２４…＋電極用の電極レール、２５…−電極用の電極レール、
２６，２７…導電性ブラシ、
３０…実施例のクランプ板、３０’…変形例のクランプ板、３０ａ…クランプ面、
３１…支持軸部、３２…第１回転軸、３３…第１ネジリバネ、
３４…第１カムフォロワー、３５…跳ね上げ部材、３６…第２回転軸、
３７…第２ネジリバネ、３８…第２カムフォロワー、
４０…制御部、４０ａ…ＣＰＵ、４０ｂ…ＲＯＭ、４０ｃ…ＲＡＭ、４０ｄ…カウンタ、
４１…版胴用モータ駆動回路、４２…版胴初期位置センサ、
４３…クランプ用モータ駆動回路、４４…クランプ用モータ、４５…弓形状カム部材、
４６…クランプセンサ、４７…電磁石駆動回路、４８…プレスローラ駆動手段、
Ｇ…孔版原紙、Ｇａ…先端部、ＩＫ…インク、Ｐ…印刷用紙。
【図１】
2013035238.tif 000003
【図２】
2013035238.tif 000004
【図３】
2013035238.tif 000005
【図４】
2013035238.tif 000006
【図５】
2013035238.tif 000007
【図６】
2013035238.tif 000008
【図７】
2013035238.tif 000009